【手続補正書】
【提出日】平成28年11月4日(2016.11.4)
【手続補正１】
【補正対象書類名】特許請求の範囲
【補正対象項目名】全文
【補正方法】変更
【補正の内容】
【特許請求の範囲】
【請求項１】
原稿を読み取り画像情報を取得する１以上の画像形成装置と、前記１以上の画像形成装置から前記画像情報が送信され、ワークフローを実行し、前記ワークフローを実行する処理を含む１以上の処理の内容を示すログ情報を自装置が有する記憶手段に記憶させる複数の情報処理装置とを有する情報処理システムであって、
前記複数の情報処理装置のうちの特定の情報処理装置は、
ログ情報の取得を要求する取得命令であって、ログ情報を取得する装置をユーザに指定させて得られる前記取得命令を受け付ける受付手段と、
受け付けられた前記取得命令に応じて、自装置の前記記憶手段に記憶されている前記ログ情報を取得する第１の取得手段と、
受け付けられた当該取得命令に応じて、当該取得命令により指定された、自装置以外の前記情報処理装置から、当該情報処理装置において実行された前記１以上の処理の内容を示すログ情報を取得する第２の取得手段と、
前記受け付けられた取得命令に応じて取得された前記ログ情報をユーザに提供する情報提供手段と、を有することを特徴とする情報処理システム。
【請求項２】
前記複数の情報処理装置のそれぞれは、前記１以上の画像形成装置から前記画像情報が送信され、前記ワークフローを実行する処理を含む１以上の処理を実行する実行手段をさらに有し、
前記第２の取得手段は、前記ワークフローを実行した前記特定の情報処理装置に対して前記画像情報を送信した前記画像形成装置から、当該画像形成装置において実行された処理の内容を示すログ情報をさらに取得することを特徴とする請求項１に記載の情報処理システム。
【請求項３】
前記情報提供手段は、前記複数の情報処理装置及び前記１以上の画像形成装置のうち、当該特定の情報処理装置以外の他の装置のリストを含む画面であって、当該特定の情報処理装置を選択可能な前記画面を表示手段に表示させ、
前記第１の取得手段は、前記ユーザにより前記画面において前記特定の情報処理装置が選択された場合に、前記記憶手段に記憶されている前記ログ情報を取得し、
前記第２の取得手段は、前記ユーザにより前記リストから前記他の装置が選択された場合に、当該他の装置から前記ログ情報を取得することを特徴とする請求項１又は２に記載の情報処理システム。
【請求項４】
前記複数の情報処理装置はセカンダリ装置を含み、
前記情報提供手段は、前記セカンダリ装置を選択可能な前記画面を前記表示手段に表示させ、
前記第２の取得手段は、前記ユーザにより前記画面において前記セカンダリ装置が選択された場合に、当該セカンダリ装置から前記ログ情報を取得することを特徴とする請求項３に記載の情報処理システム。
【請求項５】
前記複数の情報処理装置は、前記複数の情報処理装置のうちの複数の情報処理装置の間で処理負荷の均衡を図るロードバランス装置を含み、
前記情報提供手段は、前記ロードバランス装置を選択可能な前記画面を前記表示手段に表示させ、
前記第２の取得手段は、前記ユーザにより前記画面において前記ロードバランス装置が選択された場合に、当該ロードバランス装置から前記ログ情報を取得することを特徴とする請求項３又は４に記載の情報処理システム。
【請求項６】
前記複数の情報処理装置及び前記１以上の画像形成装置が所定の条件に基づいて複数の装置群に分けられており、
前記第２の取得手段は、前記特定の情報処理装置と同じ装置群に属する装置を対象に前記ログ情報を取得することを特徴とする請求項１〜５の何れか一項に記載の情報処理システム。
【請求項７】
原稿を読み取り画像情報を取得する１以上の画像形成装置から前記画像情報が送信され、ワークフローを実行し、前記ワークフローを実行する処理を含む１以上の処理の内容を示すログ情報を自装置が有する記憶手段に記憶させる複数の情報処理装置のうちの特定の情報処理装置であって、
ログ情報の取得を要求する取得命令であって、ログ情報を取得する装置をユーザに指定させて得られる前記取得命令を受け付ける受付手段と、
受け付けられた前記取得命令に応じて、自装置の前記記憶手段に記憶されている前記ログ情報を取得する第１の取得手段と、
受け付けられた当該取得命令に応じて、当該取得命令により指定された、自装置以外の前記情報処理装置から、当該情報処理装置において実行された前記１以上の処理の内容を示すログ情報を取得する第２の取得手段と、
前記受け付けられた取得命令に応じて取得された前記ログ情報をユーザに提供する情報提供手段と、を有することを特徴とする情報処理装置。
【請求項８】
原稿を読み取り画像情報を取得する１以上の画像形成装置と、前記１以上の画像形成装置から前記画像情報が送信され、ワークフローを実行し、前記ワークフローを実行する処理を含む１以上の処理の内容を示すログ情報を自装置が有する記憶手段に記憶させる複数の情報処理装置とを有する情報処理システムの制御方法であって、
前記複数の情報処理装置のうちの特定の情報処理装置において、
受付手段が、ログ情報の取得を要求する取得命令であって、ログ情報を取得する装置をユーザに指定させて得られる前記取得命令を受け付けるステップと、
第１の取得手段が、受け付けられた前記取得命令に応じて、自装置の前記記憶手段に記憶されている前記ログ情報を取得するステップと、
第２の取得手段が、受け付けられた当該取得命令に応じて、当該取得命令により指定された、自装置以外の前記情報処理装置から、当該情報処理装置において実行された前記１以上の処理の内容を示すログ情報を取得するステップと、
情報提供手段が、前記受け付けられた取得命令に応じて取得された前記ログ情報をユーザに提供するステップと、を有することを特徴とする情報処理システムの制御方法。
【請求項９】
原稿を読み取り画像情報を取得する１以上の画像形成装置から前記画像情報が送信され、ワークフローを実行し、前記ワークフローを実行する処理を含む１以上の処理の内容を示すログ情報を自装置が有する記憶手段に記憶させる複数の情報処理装置のうちの特定の情報処理装置としてのコンピュータを、
ログ情報の取得を要求する取得命令であって、ログ情報を取得する装置をユーザに指定させて得られる前記取得命令を受け付ける受付手段、
受け付けられた前記取得命令に応じて、自装置の前記記憶手段に記憶されている前記ログ情報を取得する第１の取得手段、
受け付けられた当該取得命令に応じて、当該取得命令により指定された、自装置以外の前記情報処理装置から、当該情報処理装置において実行された前記１以上の処理の内容を示すログ情報を取得する第２の取得手段、および
前記受け付けられた取得命令に応じて取得された前記ログ情報をユーザに提供する情報提供手段、として機能させるプログラム。
【手続補正２】
【補正対象書類名】明細書
【補正対象項目名】発明の名称
【補正方法】変更
【補正の内容】
【発明の名称】情報処理システム、情報処理装置、情報処理システムの制御方法、及びプログラム
【手続補正３】
【補正対象書類名】明細書
【補正対象項目名】０００１
【補正方法】変更
【補正の内容】
【０００１】
本発明は、情報処理システム、情報処理装置、情報処理システムの制御方法、及びプログラムに関する。
【手続補正４】
【補正対象書類名】明細書
【補正対象項目名】０００３
【補正方法】削除
【補正の内容】
【手続補正５】
【補正対象書類名】明細書
【補正対象項目名】０００４
【補正方法】変更
【補正の内容】
【０００４】
本発明は、複数の情報処理装置のうちの特定の情報処理装置が、ユーザからの取得命令に応じて情報処理装置のログ情報を取得してユーザに提供する情報処理システムを提供することを目的とする。
【手続補正６】
【補正対象書類名】明細書
【補正対象項目名】０００５
【補正方法】変更
【補正の内容】
【０００５】
上記目的を達成するため、原稿を読み取り画像情報を取得する１以上の画像形成装置と、１以上の画像形成装置から画像情報が送信され、ワークフローを実行し、ワークフローを実行する処理を含む１以上の処理の内容を示すログ情報を自装置が有する記憶手段に記憶させる複数の情報処理装置とを有する情報処理システムであって、複数の情報処理装置のうちの特定の情報処理装置は、ログ情報の取得を要求する取得命令であって、ログ情報を取得する装置をユーザに指定させて得られる取得命令を受け付ける受付手段と、受け付けられた取得命令に応じて、自装置の記憶手段に記憶されているログ情報を取得する第１の取得手段と、受け付けられた取得命令に応じて、当該取得命令により指定された、自装置以外の情報処理装置から、当該情報処理装置において実行された１以上の処理の内容を示すログ情報を取得する第２の取得手段と、受け付けられた取得命令に応じて取得されたログ情報をユーザに提供する情報提供手段と、を有することを特徴とする情報処理システムを提供する。
【手続補正７】
【補正対象書類名】明細書
【補正対象項目名】０００６
【補正方法】変更
【補正の内容】
【０００６】
本発明によれば、複数の情報処理装置のうちの特定の情報処理装置が、ユーザからの取得命令に応じて情報処理装置のログ情報を取得してユーザに提供する情報処理システムを提供することができる。